(57)【要約】      （修正有）【課題】巾着状のポケットを衣服に付け、ポケットの開閉口をフラップで閉じることによりポケットに入れた貴重品等の落下を防ぐことができる。また、新たに巾着を持ち歩く必要もないため、手荷物が減り、置き忘れなども防ぐことができる。これまでのものとは異なり、ファスナーやボタン等を付けることによる物質的な違和感を無くし、衣服本来の良さを崩すことなく物の出し入れを可能とする巾着式フラップポケットを提供する。【解決手段】巾着式の紐（１、２）によって開閉するポケットである。巾着部分の上部をフリーに上下するフラップ状にした。物を収納後自重により３、４を折り目とし、下方へ向くようにする。そうすることでポケット内の収納物を飛び出しにくくすることができる。更に巾着の紐を引くことにより、確実に内容物をポケットにとどめることを可能とした。【選択図】図１
2017160581.tif 000002
【特許請求の範囲】
【請求項１】
衣服に紐を引くことによって開閉する巾着式のポケットを取り付ける。飛び出し防止のため上部を袋状フラップになるように張り付け、折り曲げ部分より上部が自重で下方向に下がる。
【請求項２】
衣服に取り付けるポケットの収納口が巾着状になっており、紐を引くことによって口が閉じるものとする。
【発明の詳細な説明】
【技術分野】
【０００１】  この発明は、従来のポケットの上部を袋状フラップで閉じた巾着式フラップポケットに関するものである。
【背景技術】
【０００２】  従来のポケットはフラップがない又は上部開閉式のものであった。衣服にファスナーやボタンを用い上部を閉じる方法もあるが、衣服によっては金属やプラスチックのボタンで物質的な違和感を伴い衣服本来の良さが薄れてしまう場合がある。
【先行技術文献】
【特許文献】
【０００３】  従来のポケットのアイディアとして携帯用小物入れとして公開されており、その中でもポケットから物が落ちないような工夫がされている。
【特許文献１】  実用新案登録第３１４８７５６号公報
【発明の概要】
【発明が解決しようとする課題】
【０００４】  従来のポケットではふたのような役割を持つ機能がなく、歩く以外の少々激しい動作を行うと、ポケット内に収納した携帯電話や財布等の貴重品を落としてしまうことがある。先行の技術で見受けられたようなファスナーやボタン等で加工することもあるが、金属やプラスチックを扱うため特に和服や作務衣等の伝統的な衣服には違和感が生じる。
本発明では上記の様な欠点を無くし、安全面にも配慮した衣服を提供する際に大いに役立つものである。
【課題を解決するための手段】
【０００５】  衣服に飛び出し防止のフラップポケットを取り付けた。紐によって開閉する巾着式のポケットである。巾着部分の上部をフリーに上下するフラップ状にして、物を収納後自重によりフラップが下方向へ向きポケット内の収納物を飛び出しにくくするためのものである。更に巾着の紐を引くことにより、確実に内容物をポケットにとどめることを可能とした。
【発明の効果】
【０００６】  第一に物が飛び出しにくいことが利点として挙げられる。上部が袋状フラップになっているため満員電車によるスリの被害やポケットに入れておいた貴重品を無くすことを防止できる。また、とても重要な貴重品を持ち歩く場合は紐の部分を引っ張ることにより確実に紛失を防ぐことができると考えられる。
今後、高齢化社会になっていくと予想されるため、高齢者の方々の貴重品バッグ、巾着等の置き忘れ防止やハンズフリーになることにより転倒防止や転倒した際の怪我の防止につながる。
また、飲料などを入れておくペットボトル等の長尺物上部を紐で引っ張ることで固定できる。そして伝統的な衣服にも安全面に配慮した設計ができるため、伝統工芸である和服の普及にもつながるのではないかと考えられる。
【図面の簡単な説明】
【０００７】
【図１】本商品のポケットを開閉した際の図
【図２】本商品のポケットを開閉しフラップ部分を折り返した図
【図３】本商品のポケットを衣服に取り付けた図
【発明を実施するための形態】
【０００８】  フラップ上部が巾着式になっている。１，２を横方向に引くことにより上部が閉まりポケットの内容物の落下防止が期待できる。あえて紐を引っ張らなくてもフラップの下方向への折り返しにより内容物が飛び出ていかないような仕様になっている。
【符号の説明】
【０００９】１．紐（左方向）
２．紐（右方向）
３．４．フラップの折り返し点
【図１】
2017160581.tif 000003
【図２】
2017160581.tif 000004
2017160581.tif 000005
2017160581.tif 000006
2017160581.tif 000007
【手続補正書】
【提出日】平成28年5月16日(2016.5.16)
【手続補正１】
【補正対象書類名】図面
【補正対象項目名】全図
【補正方法】変更
【補正の内容】
【図１】
2017160581.tif 000008
【図２】
2017160581.tif 000009
【図３】
2017160581.tif 000010
【図４】
2017160581.tif 000011
【図５】
2017160581.tif 000012
【手続補正２】
【補正対象書類名】明細書
【補正対象項目名】０００７
【補正方法】変更
【補正の内容】
【０００７】
【図１】本商品のポケットを開閉した際の図
【図２】本商品のポケットを開閉しフラップ部分を折り返した図
【図３】本商品をエプロン、ベストに取り付けた図
【図４】本商品を作務衣、パンツに取り付けた図
【図５】本商品をシャツに取り付けた図
【手続補正書】
【提出日】平成29年6月30日(2017.6.30)
【手続補正１】
【補正対象書類名】明細書
【補正対象項目名】０００７
【補正方法】変更
【補正の内容】
【０００７】
【図１】本商品のポケットを開閉した際の図
【図２】本商品のポケットの構成図
【図３】本商品のポケットを衣服に取り付けた図
【図４】本商品を作務衣、パンツに取り付けた図
【図５】本商品をシヤツに取り付けた図
【手続補正２】
【補正対象書類名】明細書
【補正対象項目名】０００８
【補正方法】変更
【補正の内容】
【０００８】フラップ上部が巾着式になっている。１，２を横方向に引くことにより上部が閉まりポケットの内容物の落下防止が期待できる。あえて紐を引っ張らなくてもフラップの下方向への折り返しにより内容物が飛び出ていかないような仕様になっている。
また、フラップポケットを接続する際に、横巾をχ、縦巾を０．４５χ（引っ張り穴の縫い目までの長さ）の比率とすることで余計な皺や接続面に対しての違和感等がないポケットを実現することを可能とした。
また、衣服との接地面の上部を縫い付けないことで、上部から収納を可能とした簡易ポケットとしても利用することが可能となっている。
【手続補正３】
【補正対象書類名】特許請求の範囲
【補正対象項目名】全文
【補正方法】変更
【補正の内容】
【特許請求の範囲】
【請求項１】
作務衣等の和風な衣服に紐を引くことによって開閉する巾着式のポケットを取り付ける。取り付ける際の衣服と巾着式のポケットとの接地面の上部を縫わずに開けておくことで簡易のポケットとしても利用できる。巾着式のポケットは飛び出し防止のため上部を袋状フラップになるように取り付け、更に折り曲げ部分より上部が自重で下方向に下がるものとする。
【請求項２】
作務衣等の和風な衣服に取り付けるポケットの収納口が巾着状になっており、紐を引くことによって開閉する巾着式のポケットを一定の比率に基づき衣服に取り付ける。
【手続補正５】
【補正対象書類名】図面
【補正対象項目名】図１
【補正方法】変更
【補正の内容】
【図１】
2017160581.tif 000013
【手続補正６】
【補正対象書類名】図面
【補正対象項目名】図２
【補正方法】変更
【補正の内容】
【図２】
2017160581.tif 000014